(57)【特許請求の範囲】
【請求項１】
情報を表示する表示手段と、
前記表示手段の表示領域に対応した接触領域を有し、前記接触領域に対する接触操作を検知して、前記接触領域における前記接触操作の位置を示す位置信号を出力する操作手段と、
前記操作手段からの２点の前記位置信号に基づいて、前記表示領域の対象範囲を決定する範囲決定手段と、
前記操作手段により検知された接触操作に基づいて２本の指を識別する識別手段と、
前記識別手段により識別された２本の指の組み合わせ、並びに前記範囲決定手段によって決定された前記表示領域の対象範囲に基づいた位置に、各種処理を選択するための処理メニューを前記表示手段に表示させる処理メニュー表示手段と、
前記操作手段からの３点目の前記位置信号に基づいて、前記接触領域における前記接触操作の位置に対応する前記処理メニューの処理を決定する処理決定手段と、
前記範囲決定手段によって決定された前記表示領域の対象範囲に対して、前記処理決定手段によって決定された処理を実行する処理実行手段と、を備える、情報処理装置。
【請求項２】
前記識別手段は、さらに、前記接触領域に対する前記接触操作の手が右手及び左手のいずれであるかを識別し、
前記処理メニュー表示手段は、前記識別手段によって識別された手及び２本の指に基づいた位置に、前記処理メニューを前記表示手段に表示させる、請求項１に記載の情報処理装置。
【請求項３】
前記範囲決定手段は、前記操作手段からの２点の前記位置信号によって示される前記接触操作の位置が変化した場合に、前記表示領域の対象範囲を再決定する、請求項１または２に記載の情報処理装置。
【請求項４】
前記範囲決定手段は、前記操作手段から２点の前記位置信号を同時に受けた場合にのみ、前記表示領域の対象範囲を決定する、請求項１〜３の何れか１項に記載の情報処理装置。
【請求項５】
情報を表示する表示手段と、前記表示手段の表示領域に対応した接触領域を有する操作手段とを備える情報処理装置の表示情報編集方法において、
前記接触領域に対する接触操作を検知して、前記接触領域における前記接触操作の位置を示す位置信号を生成し、
前記接触操作に基づいて２本の指を識別するとともに、２点の前記位置信号に基づいて、前記表示領域の対象範囲を決定し、
識別された２本の指の組み合わせ、並びに決定された前記表示領域の対象範囲に基づいた位置に、各種処理を選択するための処理メニューを前記表示手段に表示させ、
３点目の前記位置信号に基づいて、前記接触領域における前記接触操作の位置に対応する前記処理メニューの処理を決定し、
決定された前記表示領域の対象範囲に対して、決定された処理を実行する、情報処理装置の表示情報編集方法。
【発明の詳細な説明】
【技術分野】
【０００１】
本発明は、情報処理装置、及び、この情報処理装置の表示情報編集方法に関するものである。
【背景技術】
【０００２】
携帯電話端末やＰＤＡ（Personal Digital Assistants）などの情報処理装置は、キーボードやマウス、操作ボタンなどの操作部とディスプレイなどの表示部とを備え、操作部による情報入力に応じて文字情報を表示部に表示したり、操作部による操作に応じて予め記憶した文字情報や画像情報などを表示部に表示したりする文字／画像情報処理を行うことができる。
【０００３】
下記特許文献１には、この種の情報処理装置が記載されている。この情報処理装置は、例えば、マウスによって表示部上のカーソルが操作されることによって表示情報の範囲指定が行われ、その後、範囲指定内にカーソルがある状態でマウスがクリック操作されると表示情報のコピー編集を行う。この情報処理装置によれば、範囲指定操作と１回のクリック操作のみであり、これらの２つの操作の間にユーザはマウスを僅かに移動させるだけでよいので、表示情報のコピー編集の操作性を向上することができる。また、特許文献１には、情報処理装置の操作部としてタッチパネルが適用可能であることが記載されている。
【特許文献１】特開２０００−３１１０４０号公報
【発明の開示】
【発明が解決しようとする課題】
【０００４】
ところで、情報処理装置では、表示情報の編集処理として、コピー編集処理の他に、拡大／縮小編集処理や色変更編集処理など様々な編集処理を有することが要求されている。しかしながら、特許文献１に記載の情報処理装置では、コピー編集処理しか行うことができず、上記要求を満たすことができない。
【０００５】
そこで、本発明は、複数の表示情報編集処理に対する操作性を向上させることが可能な情報処理装置及び情報処理装置の表示情報編集方法を提供することを目的としている。
【課題を解決するための手段】
【０００６】
本発明の情報処理装置は、（ａ）情報を表示する表示手段と、（ｂ）表示手段の表示領域に対応した接触領域を有し、接触領域に対する接触操作を検知して、接触領域における接触操作の位置を示す位置信号を出力する操作手段と、（ｃ）操作手段からの２点の位置信号に基づいて、表示領域の対象範囲を決定する範囲決定手段と、（ｃ１）操作手段により検知された接触操作に基づいて２本の指を識別する識別手段と、（ｄ）識別手段により識別された２本の指の組み合わせ、並びに範囲決定手段によって決定された表示領域の対象範囲に基づいた位置に、各種処理を選択するための処理メニューを表示手段に表示させる処理メニュー表示手段と、（ｅ）操作手段からの３点目の位置信号に基づいて、接触領域における接触操作の位置に対応する処理メニューの処理を決定する処理決定手段と、（ｆ）範囲決定手段によって決定された表示領域の対象範囲に対して、処理決定手段によって決定された処理を実行する処理実行手段とを備える。
【０００７】
本発明の情報処理装置の表示情報編集方法は、情報を表示する表示手段と、表示手段の表示領域に対応した接触領域を有する操作手段とを備える情報処理装置の表示情報編集方法において、（ａ）接触領域に対する接触操作を検知して、接触領域における接触操作の位置を示す位置信号を生成し、（ｂ）接触操作に基づいて２本の指を識別するとともに、２点の位置信号に基づいて、表示領域の対象範囲を決定し、（ｃ）識別された２本の指の組み合わせ、並びに決定された表示領域の対象範囲に基づいた位置に、各種処理を選択するための処理メニューを表示手段に表示させ、（ｄ）３点目の位置信号に基づいて、接触領域における接触操作の位置に対応する処理メニューの処理を決定し、（ｅ）決定された表示領域の対象範囲に対して、決定された処理を実行する。
【０００８】
この情報処理装置及び情報処理装置の表示情報編集方法によれば、処理メニュー表示手段が、範囲決定手段によって決定された表示領域の対象範囲に対応した位置に、各種処理を選択するための処理メニューを表示手段に表示させるので、ユーザは、２本の指による範囲指定操作と３本目の指による処理指定操作のみを行えばよい。したがって、複数の表示情報編集処理に対する操作性を向上させることができる。
【００１１】
上記した情報処理装置は、接触領域に対する接触操作の手が右手及び左手のいずれであるかを識別すると共に、接触操作の２本の指を識別する識別手段を更に備え、上記した処理メニュー表示手段は、識別手段によって識別された手及び２本の指に基づいて、当該手及び２本の指の組合せに対応付けされた表示領域の対象範囲に対する位置に、処理メニューを前記表示手段に表示させることが好ましい。
【００１２】
これによれば、識別手段によって範囲指定が右手及び左手のいずれで行われたのかを識別すると共に範囲指定の２本の指を識別し、例えば、範囲指定が左手の小指と人指し指とで行われた場合には、処理メニューを指定範囲の下部右側に表示することによって、右手の親指による操作性を向上することが可能である。また、例えば、範囲指定が右手の小指と親指とで行われた場合には、処理メニューを指定範囲の上部中央に表示することによって、右手の人指し指による操作性を向上することが可能である。したがって、接触操作の手指に依存することなく操作性を向上することができる。また、ユーザは片手で操作を行うことが可能となり、より操作性を向上することができる。
【００１３】
上記した範囲決定手段は、操作手段からの２点の位置信号によって示される前記接触操作の位置が変化した場合に、表示領域の対象範囲を再決定することが好ましい。
【００１４】
これによれば、範囲指定の２本の指をスライド移動することによって、指定範囲を調整することができ、より操作性を向上することができる。
【００１５】
上記した範囲決定手段は、操作手段から２点の位置信号を同時に受けた場合にのみ、表示領域の対象範囲を決定することが好ましい。
【００１６】
これによれば、例えば、１点接触による情報入力操作と２点同時接触による範囲指定操作とを区別することができるので、情報入力操作中であっても表示情報編集処理を行わせることができる。
【発明の効果】
【００１７】
本発明によれば、複数の表示情報編集処理に対する情報処理装置の操作性を向上することができる。
【発明を実施するための最良の形態】
【００１８】
以下、図面を参照して本発明の好適な実施形態について詳細に説明する。なお、各図面において同一又は相当の部分に対しては同一の符号を附すこととする。
［第１の実施形態］
【００１９】
図１は、本発明の第１の実施形態に係る情報処理装置の構成を示す斜視図であり、図２は、本発明の第１の実施形態に係る情報処理装置の構成を示すブロック図である。図１及び図２には、情報処理装置の一例として携帯電話端末が示されている。図１及び図２に示す情報処理装置１は、表示部１０と、操作部２０と、制御部３０とを備えている。なお、図１において、制御部３０は、表示部１０を収容する筐体又は操作部２０を収容する筐体の内部に収容されている。
【００２０】
表示部１０は、例えば液晶ディスプレイである。表示部１０には、行列方向に複数の画素が配列されており、これらの画素が配列された領域が表示領域１０ａである。表示部１０は、制御部３０から文字データや画像データなどの情報を受け、これらの情報を表示領域１０ａに表示する。例えば、表示部１０は、制御部３０からの情報に基づいて、これらの情報が示す行列座標（アドレス）に対応する画素を、これらの情報が示す色で発光させる。
【００２１】
操作部２０は、例えば静電パッドであり、列電極層、行電極層、及び、これらの列電極層と行電極層との間に配置された誘電体層を有している。列電極層には、列方向に延びる複数の列電極が行方向に並置されており、行電極層には行方向に延びる複数の行電極が列方向に並置されている。これらの列電極及び行電極が配列された領域が接触領域２０ａである。操作部２０は、ユーザによる接触領域２０ａに対する接触操作を検知して、接触領域２０ａにおける接触操作の位置を示す位置信号を制御部３０へ出力する。
【００２２】
具体的には、操作部２０では、列電極と行電極とが交差する部分がそれぞれコンデンサを構成しており、コンデンサの静電容量がそれぞれユーザの接触操作により変化することによって、そのコンデンサを構成する列電極と行電極との電位が変化する。このように、操作部２０は、コンデンサの静電容量の変化、すなわち列電極と行電極との電位の変化を検知して、ユーザによる接触領域２０ａに対する接触操作を検知する。そして、操作部２０は、電位が変化した列電極と行電極とが交差する部分の行列座標を位置信号として制御部３０へ出力する。
【００２３】
操作部２０の接触領域２０ａにおける列電極と行電極との交差位置は、表示部１０の表示領域１０ａにおける画素位置と対応付けされている。なお、列電極と行電極との交差位置と画素位置とは、必ずしも１対１に対応付けされていなくともよい。
【００２４】
制御部３０は、各種プログラムや各種情報（送受信メール履歴文字情報、画像情報、メールアドレス情報など）を記憶するＲＯＭ（Read Only Memory）と、ＲＯＭに記憶された各種プログラムを実行するＣＰＵ（Central Processing Unit）と、情報を一時的に保存したり各種プログラムを実行する作業領域となったりするＲＡＭ（Random Access Memory）とを有している。このような構成により、制御部３０は、範囲決定部３１、処理メニュー表示部３２、処理決定部３３及び処理実行部３４として機能する。
【００２５】
以下、図３〜図５を用いて、範囲決定部３１、処理メニュー表示部３２、処理決定部３３及び処理実行部３４について説明する。図３〜図５は、範囲決定部３１による範囲決定処理及び範囲調整処理、処理メニュー表示部３２による処理メニュー表示処理、処理決定部３３による編集処理決定処理、並びに処理実行部３４による編集処理実行処理の処理工程を順次に示す図である。
【００２６】
範囲決定部３１は、操作部２０からの２点の位置信号に基づいて、表示領域１０ａの対象範囲Ａ１を決定する。本実施形態では、範囲決定部３１は、接触領域２０ａにおける接触操作の２つの位置Ｐ２ａ，Ｐ２ｂにそれぞれ対応する表示領域１０ａの２つの位置Ｐ１ａ，Ｐ１ｂをそれぞれ始点及び終点とする表示領域１０ａの対象範囲Ａ１を決定する。
【００２７】
例えば、ＲＯＭには、操作部２０の接触領域２０ａにおける列電極と行電極との交差位置と表示部１０の表示領域１０ａにおける画素とが対応付けされてテーブルとして予め記憶されている。範囲決定部３１は、このテーブルに基づいて、接触領域２０ａにおける接触操作の２つの位置Ｐ２ａ，Ｐ２ｂにそれぞれ対応する表示領域１０ａの２つの位置Ｐ１ａ，Ｐ１ｂを求める。そして、範囲決定部３１は、求めた表示領域１０ａの２点の位置Ｐ１ａ，Ｐ１ｂをそれぞれ始点及び終点とする範囲を表示領域１０ａの対象範囲Ａ１として決定する。
【００２８】
また、範囲決定部３１は、決定した対象範囲Ａ１の調整を行う。例えば、範囲決定部３１は、図４に示すように、対象範囲決定後に表示部１０に対象範囲Ａ１を示す枠線Ｂを表示させ、操作部２０は、この枠線Ｂに対応する接触領域２０ａの部分への接触操作及びスライド動作を検知する。範囲決定部３１は、スライド動作に対応した位置信号を受けて、対象範囲を求め直す。そして、範囲決定部３１は、例えば、後述する処理指定操作が行われた場合に求め直した範囲を対象範囲Ａ２として再決定する。具体的には、範囲決定部３１は、後述するように、表示領域１０ａにおける処理メニューＭの処理Ｎ１の位置に対応する接触領域２０ａの位置Ｎ２が選択させた場合に対象範囲Ａ２を確定する。
【００２９】
処理メニュー表示部３２は、各種処理を選択するための処理メニューＭを表示部１０に表示させる。例えば、ＲＯＭには、表示領域１０ａの対象範囲Ａ１に対応した処理メニューＭの表示位置が予め記憶されている。処理メニューＭの表示位置は、例えば初期設定時などにユーザによって設定可能である。本実施形態では、左手の小指と人指し指とで範囲指定を行い、親指で処理指定を行うために、処理メニューＭの表示位置は対象範囲Ａ１の下部右側に設定されている。
【００３０】
処理決定部３３は、操作部２０からの３点目の位置信号に基づいて、接触領域２０ａにおける接触操作の位置Ｐ２ｃに対応する処理メニューＭ中の処理Ｎ１を決定する。
【００３１】
処理実行部３４は、範囲決定部３１によって決定された表示領域１０ａの対象範囲Ａ２に対して、処理決定部３３によって決定された処理Ｎ１を実行する。本実施形態では、処理実行部３４は、図５に示すように、対象範囲Ａ２内に表示された文字の拡大編集処理を行う。
【００３２】
次に、第１の実施形態の情報処理装置１の動作を説明すると共に、本発明の第１の実施形態に係る情報処理装置の表示情報編集方法を説明する。図６は、本発明の第１の実施形態に係る情報処理装置の表示情報編集方法を示すフローチャートである。
【００３３】
まず、ユーザによって、表示領域１０ａの対象範囲に対する処理メニューＭの表示位置が設定される。本実施形態では、情報処理装置１は、ユーザによる入力指令に応じて、処理メニューＭの表示位置を対象範囲の下部右側に設定し、設定した処理メニューＭの表示位置を例えば座標データとしてＲＯＭに記憶する（ステップＳ０１）。
【００３４】
その後、図３に示すように、ユーザが小指と人指し指とで２点Ｐ２ａ，Ｐ２ｂに触れると、操作部２０が、接触領域２０ａに指が接触したことによる列電極と行電極との電位の変化を検知して、電位が変化した列電極と行電極との交差部分の行列座標を位置信号として制御部３０へ出力する（ステップＳ０２）。
【００３５】
次に、範囲決定部３１は、ＲＯＭに予め記憶されたテーブルに基づいて、接触領域２０ａにおける接触操作の２つの位置Ｐ２ａ，Ｐ２ｂにそれぞれ対応する表示領域１０ａの２つの位置Ｐ１ａ，Ｐ１ｂを求める（ステップＳ０３）。
【００３６】
次に、範囲決定部３１は、求めた表示領域１０ａの２つの位置Ｐ１ａ，Ｐ１ｂをそれぞれ始点及び終点とする表示領域１０ａの対象範囲Ａ１を決定する（ステップＳ０４）。
【００３７】
次に、図４に示すように、処理メニュー表示部３２は、ＲＯＭに予め記憶された表示領域１０ａの対象範囲Ａ１に対応した処理メニューＭの表示位置に処理メニューＭを表示させる。本実施形態では、処理メニュー表示部３２は、対象範囲Ａ１の下部右側に処理メニューＭを表示させる（ステップＳ０３）。
【００３８】
次に、範囲決定部３１は、表示部１０に、表示領域１０ａの対象範囲Ａ１を枠線Ｂで表示させる。ユーザが、表示部１０の表示領域１０ａの枠線Ｂに対応する操作部２０の接触領域２０ａの部分に触れると共に、その指をスライドすると、操作部２０が指のスライド動作を検知する。範囲決定部３１は、スライド動作に対応した位置信号を受けて、表示領域１０ａの対象範囲を求め直す。このようにして、範囲決定部３１は、表示領域１０ａの対象範囲Ａ１の調整を行う（ステップＳ０６）。
【００３９】
その後、範囲決定部３１は、操作部２０からの３点目の位置信号を受けた場合に、調整後の表示領域１０ａの範囲を対象範囲Ａ２として再決定する（ステップＳ０７）。
【００４０】
また、処理決定部３３は、操作部２０からの３点目の位置信号に基づいて、接触領域２０ａにおける接触操作の位置Ｐ２ｃに対応する処理メニューＭ中の処理「大／小」Ｎ１を決定する（ステップＳ０８）。
【００４１】
次に、処理実行部３４が、範囲決定部３１によって決定された表示領域１０ａの対象範囲Ａ２に対して、処理決定部３３によって決定された処理Ｎ１を実行する。本実施形態では、処理実行部３４は、図５に示すように、対象範囲Ａ２内に表示された文字の拡大編集処理を行う（ステップＳ０９）。
【００４２】
このように、第１の実施形態の情報処理装置１及び第１の実施形態の情報処理装置の表示情報編集方法によれば、処理メニュー表示部３２が、範囲決定部３１によって決定された表示領域１０ａの対象範囲Ａ１に対応した位置に、各種処理を選択するための処理メニューＭを表示部１０に表示させるので、ユーザは、２本の指による範囲指定操作と３本目の指による処理指定操作のみを行えばよい。したがって、複数の表示情報編集処理に対する操作性を向上させることができる。
【００４３】
ところで、操作性は右手と左手とで異なる。また、範囲指定の２本の指及び処理指定の３本目の指の違いによっても操作性が異なる。本実施形態のように、左手の小指と人指し指とで範囲指定を行い、左手の親指で処理指定を行う場合、処理メニューは指定範囲の下部中央又はそれより右寄りに表示されることが好ましい。
【００４４】
第１の実施形態の情報処理装置１及び第１の実施形態の情報処理装置の表示情報編集方法によれば、ユーザの好みにより、処理メニューＭの表示位置を予め設定しておくことができるので、より操作性を向上することができる。また、ユーザは片手で操作を行うことが可能となり、より操作性を向上することができる。
【００４５】
また、第１の実施形態の情報処理装置１及び第１の実施形態の情報処理装置の表示情報編集方法によれば、範囲決定部３１によって、操作部２０からの２点の位置信号によって示される接触操作の位置が変化した場合に、表示領域１０ａの対象範囲Ａ２を再決定することができるので、範囲指定の２本の指をスライド移動することによって、指定範囲を調整することができ、より操作性を向上することができる。
［第２の実施形態］
【００４６】
図７は、本発明の第２の実施形態に係る情報処理装置の構成を示すブロック図である。図７に示す情報処理装置１Ａは、情報処理装置１において撮像部４０を更に備え、制御部３０に代えて制御部３０Ａを備えている構成で第１の実施形態と異なっている。情報処理装置１Ａの他の構成は、情報処理装置１と同一である。
【００４７】
撮像部４０は、例えばカメラであり、操作部２０に対して接触操作を行うユーザの手指を撮像し、撮像した画像信号を制御部３０Ａへ出力する。
【００４８】
制御部３０Ａは、制御部３０において手指識別部３５を更に有しており、範囲決定部３１及び処理メニュー表示部３２に代えて範囲決定部３１Ａ、処理メニュー表示部３２Ａを有している構成で第１の実施形態と異なっている。制御部３０Ａの他の構成は、制御部３０と同一である。
【００４９】
以下、図８〜図１０を用いて、手指識別部３５、範囲決定部３１Ａ及び処理メニュー表示部３２Ａについて説明する。図８〜図１０は、範囲決定部３１Ａによる範囲決定処理及び範囲調整処理、処理メニュー表示部３２Ａによる処理メニュー表示処理、上記した処理決定部３３による編集処理決定処理、並びに上記した処理実行部３４による編集処理実行処理の処理工程を順次に示す図である。
【００５０】
手指識別部３５は、接触領域２０ａに対する接触操作の手及び２本の指を識別する。例えば、手指識別部３５は、撮像部４０からの画像信号を画像処理することによって、接触操作の手が右手及び左手のいずれであるかを識別すると共に、接触操作の２本の指が親指、人指し指、中指、薬指、小指のいずれであるかを識別する。
【００５１】
範囲決定部３１Ａは、図８に示すように、操作部２０からの２点の位置信号に基づいて、接触操作の２つの位置Ｐ２ａ，Ｐ２ｂをそれぞれ始点及び終点とする接触領域２０ａの接触操作範囲Ｄを決定し、その後、この接触領域２０ａの接触操作範囲Ｄに対応する表示領域１０ａの対象範囲Ａ１を決定する点で範囲決定部３１と異なっている。
【００５２】
例えば、ＲＯＭには、操作部２０の接触領域２０ａにおいて考えられる複数パターンの接触操作範囲Ｄが予め記憶されており、それぞれの接触操作範囲Ｄに対応付けされた表示部１０の表示領域１０ａにおける対象範囲Ａ１が複数パターン予め記憶されている。すなわち、ＲＯＭには、複数パターンの接触操作範囲Ｄと複数パターンの対象範囲Ａ１とが対応付けされてテーブルとして予め記憶されている。範囲決定部３１Ａは、このテーブルに基づいて、接触操作範囲Ｄに対応する対象範囲Ａ１を決定する。
【００５３】
また、図９に示すように、範囲決定部３１Ａは、範囲決定部３１と同様に、決定した対象範囲Ａ１の調整を行い、調整後の対象範囲Ａ２を再決定する。
【００５４】
処理メニュー表示部３２Ａは、手指識別部３５によって識別された手及び２本の指に基づいて、手及び２本の指の組合せに対応付けされた対象範囲Ａ１に対する位置に、処理メニューＭを表示させる。例えば、ＲＯＭには、考えられる複数パターンの手及び２本の指の組合せが予め記憶されており、それぞれの手及び２本の指の組合せに対応付けされた処理メニューＭの表示位置が複数パターン記憶されている。すなわち、ＲＯＭには、複数パターンの手及び２本の指の組合せと複数パターンの処理メニューＭの表示位置とが対応付けされてテーブルとして記憶されている。処理メニュー表示部３２Ａは、このテーブルに基づいて、識別された手及び２本の指の組合せに対応する表示位置に処理メニューＭを表示させる。
【００５５】
なお、処理決定部３３及び処理実行部３４は、第１の実施形態と同様であるので説明を省略する。
【００５６】
次に、第２の実施形態の情報処理装置１Ａの動作を説明すると共に、本発明の第２の実施形態に係る情報処理装置の表示制御方法を説明する。図１１は、本発明の第２の実施形態に係る情報処理装置の表示制御方法を示すフローチャートである。
【００５７】
まず、図８に示すように、ユーザが右手の親指と小指とで２点Ｐ２ａ，Ｐ２ｂに触れると、上記したステップＳ０２の処理が行われる。また、撮像部４０がユーザの手指を撮像して画像信号を制御部３０Ａへ出力する。そして、手指識別部３５が、撮像部４０からの画像信号を画像処理することによって、接触操作の手及び２本の指を識別する（ステップＳ１０）。
【００５８】
次に、範囲決定部３１Ａは、操作部２０からの２点の位置信号に基づいて、接触操作の２つの位置Ｐ２ａ，Ｐ２ｂをそれぞれ始点及び終点とする接触領域２０ａの接触操作範囲Ｄを決定する（ステップＳ０３Ａ）。
【００５９】
次に、範囲決定部３１Ａは、ＲＯＭに予め記憶されたテーブルに基づいて、接触領域２０ａの接触操作範囲Ｄに対応する表示領域１０ａの対象範囲Ａ１を決定する（ステップＳ０４Ａ）。
【００６０】
次に、図９に示すように、処理メニュー表示部３２Ａは、手指識別部３５によって識別された手及び２本の指の組合せに対応付けされた対象範囲Ａ１に対する位置に、処理メニューＭを表示させる。本実施形態では、処理メニュー表示部３２Ａは、右手の親指と小指との組合せに対応した対象範囲Ａ１の上部中央に処理メニューＭを表示させる（ステップＳ０５Ａ）。その後、上記したステップＳ０６〜Ｓ０９の処理が行われ、図１０に示すように、表示画像の拡大編集処理が行われる。
【００６１】
この第２の実施形態の情報処理装置１Ａ及び第２の実施形態の情報処理装置の表示制御方法でも、第１の実施形態の情報処理装置１及び第１の実施形態の情報処理装置の表示制御方法と同様の利点を得ることができる。
【００６２】
また、第２の実施形態の情報処理装置１Ａ及び第２の実施形態の情報処理装置の表示制御方法よれば、手指識別部３５によって範囲指定の手及び２本の指を識別し、例えば、範囲指定が右手の小指と親指とで行われた場合には、処理メニューを指定範囲の上部中央に表示することによって、右手の人指し指による操作性を向上することが可能である。したがって、接触操作の手指に依存することなく操作性を向上することができる。また、ユーザは片手で操作を行うことが可能となり、より操作性を向上することができる。
【００６３】
なお、本発明は上記した本実施形態に限定されることなく種々の変形が可能である。例えば、本実施形態では、情報処理装置として携帯電話端末を例示したが、情報処理装置には、ＰＤＡなどの情報処理可能な装置が広く適用される。
【００６４】
また、本実施形態では、接触操作の手及び２本の指を識別する識別手法として、カメラを用いた画像処理を例示したが、識別手法は本実施形態に限られるものではない。例えば、感圧センサや触覚センサなどを用いて接触面圧から識別する識別手法が適用されてもよい。
【００６５】
図１２に、感圧センサとして圧力センサを用いた情報処理装置のブロック図を示し、図１３に、図１２に示す情報処理装置の構成を一部分解して示す斜視図を示す。図１２及び図１３に示す情報処理装置１Ｂは、情報処理装置１Ａにおいて撮像部４０及び制御部３０Ａに代えて感圧センサ４０Ｂ、制御部３０Ｂを備えている構成で情報処理装置１Ａと異なっている。例えば、感圧センサ４０Ｂはシート状の圧力センサであり、図１３に示すように、操作部２０、すなわち静電パッドの下に配置される。圧力センサは、静電パッドを介して、接触操作を行うユーザの手指の圧力強度を検知し、検知した圧力強度を制御部３０Ｂへ出力する。
【００６６】
制御部３０Ｂは、制御部３０Ａにおいて手指識別部３５に代えて手指識別部３５Ｂを備えている点で制御部３０Ａと異なっている。手指識別部３５Ｂは、感圧センサ４０Ｂからの圧力強度や、操作部２０における静電センサからの接触面積によって、接触操作の手が右手及び左手のいずれであるかを識別すると共に、接触操作の２本の指が親指、人指し指、中指、薬指、小指のいずれであるかを識別する。
【００６７】
一般に、接触操作の手指の力の強さや接触面積は、左右における利き手の方が大きく、親指、人指し指、中指、薬指、小指の順で大きい。したがって、接触操作の手指の圧力強度及び接触面積とから、接触操作の手指を識別することができる。例えば、ＲＯＭには、図１４に示すように、左右の手指の圧力強度及び接触面積と手指とが対応付けされたテーブルが予め記憶されている。手指識別部３５Ｂは、このテーブルに基づいて、感圧センサ４０Ｂからの圧力強度及び操作部２０における静電センサからの接触面積に対応する手指を接触操作の手指として識別する。
【００６８】
このテーブルは、例えば、以下のように予め登録される。まず、右手及び左手の指を順次に１本ずつ操作部２０に接触させる。次に、右手の指５本を同時に、及び、左手の指５本を同時に、それぞれ操作部２０に接触させる。次に、右手の指５本及び手のひら全体を同時に、及び、左手の指５本及び手のひら全体を同時に、それぞれ操作部２０に接触させる。例えば、各接触操作において、軽く触れた場合と、強く押し付けた場合との２通り行い、軽く触れた場合における各接触操作における圧力強度及び接触面積の平均値を最小値としてそれぞれの手指に対応付けてテーブルに登録すると共に、強く押し付けた場合における各接触操作における圧力強度及び接触面積の平均値を最大値としてそれぞれの手指に対応付けてテーブルに登録する。また、これらの最小値と最大値とから平均値を求めると共に、誤差補正値を求め、これらの平均値と誤差補正値とをそれぞれの手指に対応付けてテーブルに登録する。
【００６９】
なお、特定のユーザが特定の手指で接触操作を行う場合には、テーブルは、例えば、以下のように予め登録されてもよい。まず、登録したい手指のみを順次に１本ずつ操作部２０に接触させる。次に、特定のユーザがよく行う接触操作の方法にて、登録したい手指を同時に操作部２０に接触させる。例えば、各接触操作において、軽く触れた場合と、強く押し付けた場合との２通り行い、軽く触れた場合における各接触操作における圧力強度及び接触面積の平均値を最小値としてそれぞれの手指に対応付けてテーブルに登録すると共に、強く押し付けた場合における各接触操作における圧力強度及び接触面積の平均値を最大値としてそれぞれの手指に対応付けてテーブルに登録する。また、これらの最小値と最大値とから平均値を求めると共に、誤差補正値を求め、これらの平均値と誤差補正値とをそれぞれの手指に対応付けてテーブルに登録する。
【００７０】
図１４によれば、例えば、接触面積が６００ｍｍ２以上であれば、手指識別部３５Ｂは接触操作の手指を手のひらと識別し、接触面積が１５０ｍｍ２以下であれば、手指識別部３５Ｂは接触操作の手指を小指と識別する。そして、それ以外の手指については、手指識別部３５Ｂは接触面積の平均値と圧力強度の平均値とから接触操作の手指を識別する。
【００７１】
また、左右で圧力強度の平均値が同じ場合には、手指識別部３５Ｂは、指の構造を考慮して、操作部２０からの接触操作の位置に基づいて、接触操作の位置関係から左右を識別してもよい。例えば、図１５（ａ）に示すように、圧力強度５５ｍｍＨｇの接触操作の位置の左上に圧力強度４８ｍｍＨｇの接触操作がある場合、その位置関係から左手の親指と人指し指であると認識し、図１５（ｂ）に示すように、圧力強度５５ｍｍＨｇの接触操作の位置の右上に圧力強度４８ｍｍＨｇの接触操作がある場合、その位置関係から右手の人指し指と中指であると認識してもよい。また、手指識別部３５Ｂは、信頼性を高めるために、更に接触面積の平均値に基づいて左右を識別してもよい。
【００７２】
なお、図１６に示すように、静電パッド及び圧力センサを押している指の中心に近いほど、押す力が強くなるので、押す力が最も大きい位置を中心として、押す力がゼロ以上の範囲をプロットすることにより、接触面積及び圧力強度の分布を把握することができる。
【００７３】
その後、範囲決定部３１Ａは、操作部２０からの２点の位置信号に基づいて、接触操作の２つの位置Ｐ２ａ，Ｐ２ｂをそれぞれ始点及び終点とする接触領域２０ａの接触操作範囲Ｄを決定し、その後、この接触領域２０ａの接触操作範囲Ｄに対応する表示領域１０ａの対象範囲Ａ１を決定する。次いで、処理メニュー表示部３２Ａは、手指識別部３５によって識別された手及び２本の指に基づいて、手及び２本の指の組合せに対応付けされた対象範囲Ａ１に対する位置に、処理メニューＭを表示させる。
【００７４】
本実施形態及び本変形例では、処理メニュー表示部３２Ａは、予めＲＯＭに記憶された複数パターンの手指の組合せと複数パターンの処理メニューＭの表示位置とが対応付けされたテーブルに基づいて、識別された手指の組合せに対応する表示位置に処理メニューＭを表示させたが、処理メニュー表示部３２Ａは、手指に優先度を定め、この優先度に基づいて処理メニュー選択を行う最適な手指を予測して、処理メニューＭを表示させてもよい。例えば、処理メニュー表示部３２Ａは、親指、人指し指、中指、薬指、小指の順に定められた優先度に基づいて、接触操作の手指以外であって、接触領域２０ａの接触操作範囲Ｄと重ならない位置に存在する手指において、最も優先度の高い手指を処理メニュー選択を行う最適な手指と予測し、予測された手指の位置に対応する表示領域１０ａの位置に処理メニューＭを表示させてもよい。
【００７５】
例えば、図１７に示すように、接触操作の２つの位置Ｐ２ａ，Ｐ２ｂの手指がそれぞれ右手の親指、中指である場合、接触操作の２つの位置Ｐ２ａ，Ｐ２ｂによって定まる接触領域２０ａの接触操作範囲Ｄに人指し指が重なるので、処理メニュー表示部３２Ａは、処理メニュー選択を行う最適な手指は薬指と予測し、この薬指の位置に対応する表示領域１０ａの位置に処理メニューＭを表示させる。また、例えば、図１８に示すように、接触操作の３つの位置Ｐ２ａ，Ｐ２ｂ，Ｐ２ｃの手指がそれぞれ右手の親指、人指し指、手のひらである場合、接触操作の３つの位置Ｐ２ａ，Ｐ２ｂ，Ｐ２ｃによって定まる接触領域２０ａの接触操作範囲Ｄに重なる手指がないので、処理メニュー表示部３２Ａは、処理メニュー選択を行う最適な手指は中指と予測し、この中指の位置に対応する表示領域１０ａの位置に処理メニューＭを表示させる。
【００７６】
ここで、接触操作の手指が両手である場合には、処理メニュー表示部３２Ａは、更に、利き手、非利き手の順の優先度に基づいて、処理メニュー選択を行う最適な手指を予測してもよい。例えば、図１９に示すように、接触操作の２つの位置Ｐ２ａ，Ｐ２ｂの手指がそれぞれ左手の親指、右手の親指である場合、処理メニュー表示部３２Ａは、処理メニュー選択を行う最適な手指は利き手（例えば右手）の人差し指と予測し、この人差し指の位置に対応する表示領域１０ａの位置に処理メニューＭを表示させる。このとき、処理メニュー表示部３２Ａは、接触領域２０ａの接触操作範囲Ｄに重ならない位置に対応する表示領域１０ａの位置に処理メニューＭを表示させる。
【００７７】
なお、予測された最適な手指、すなわち接触操作の手指以外で利き手側の最も優先度の高い手指が接触操作範囲Ｄに重なる場合には、接触操作の手指以外で非利き手側の最も優先度の高い手指を、処理メニュー選択を行う最適な手指と予測してもよい。例えば、図２０に示すように、接触操作の２つの位置Ｐ２ａ，Ｐ２ｂの手指がそれぞれ左手の人差し指、右手の人指し指であり、利き手（例えば右手）の親指が接触操作範囲Ｄに重なる場合、非利き手（例えば左手）の親指を、処理メニュー選択を行う最適な手指と予測してもよい。
【００７８】
また、処理メニュー表示部３２Ａは、接触操作の手指の位置関係、及び、接触領域２０ａの接触操作範囲Ｄの位置に基づいて処理メニュー選択を行う最適な手指を予測し、処理メニューＭを表示させてもよい。例えば、図２１に示すように、接触操作の２つの位置Ｐ２ａ，Ｐ２ｂの手指がそれぞれ右手の中指、親指であり、位置Ｐ２ａ，Ｐ２ｂがそれぞれ左側中央付近、右側中央付近である場合、処理メニュー表示部３２Ａは、処理メニュー選択を行う最適な手指は位置Ｐ２ａ（中指）と位置Ｐ２ｂ（親指）との間に位置する人指し指と予測し、この人指し指の位置に対応する表示領域１０ａの位置に処理メニューＭを表示させる。このとき、処理メニュー表示部３２Ａは、接触領域２０ａの接触操作範囲Ｄに重ならない位置に対応する表示領域１０ａの位置に処理メニューＭを表示させる。また、例えば、図２２に示すように、接触操作の２つの位置Ｐ２ａ，Ｐ２ｂの手指がそれぞれ右手の人差し指、薬指であり、位置Ｐ２ａ，Ｐ２ｂがそれぞれ左下、右下である場合、処理メニュー表示部３２Ａは、処理メニュー選択を行う最適な手指は位置Ｐ２ａ（人差し指）と位置Ｐ２ｂ（薬指）との間に位置する中指と予測し、この中指の位置に対応する表示領域１０ａの位置に処理メニューＭを表示させる。このとき、処理メニュー表示部３２Ａは、接触領域２０ａの接触操作範囲Ｄに重ならない位置に対応する表示領域１０ａの位置に処理メニューＭを表示させる。
【００７９】
ここで、接触操作の手指が３本以上である場合、例えば、図２３に示すように、接触操作の３つの位置Ｐ２ａ，Ｐ２ｂ，Ｐ２ｃの手指がそれぞれ右手の親指、人差し指、薬指であり、位置Ｐ２ａ，Ｐ２ｂ，Ｐ２ｃがそれぞれ左中央、左上、右上である場合、処理メニュー表示部３２Ａは、処理メニュー選択を行う最適な手指は位置Ｐ２ｂ（人差し指）と位置Ｐ２ｃ（薬指）との間に位置する中指と予測し、この中指の位置に対応する表示領域１０ａの位置に処理メニューＭを表示させる。このとき、処理メニュー表示部３２Ａは、接触領域２０ａの接触操作範囲Ｄに重ならない位置に対応する表示領域１０ａの位置に処理メニューＭを表示させる。
【００８０】
このように、本変形例では、操作部２０としての静電センサでは接触面積を検知し、感圧センサ４０Ｂとしての圧力センサでは圧力強度を検知することによって、処理メニュー選択を行う最適な手指を予測し、処理メニューＭを最適な位置に表示することができるので、ユーザの操作性をより向上させることができる。
【００８１】
本変形例では、接触操作の手及び２本の指を識別する識別手法としては、指紋センサなどを用いて識別する識別手法が適用されてもよい。図２４に、指紋センサを用いた情報処理装置のブロック図を示し、図２５に、図２４に示す情報処理装置の構成を示す斜視図を示す。図２４及び図２５に示すように、情報処理装置１Ｃは、情報処理装置１Ｂにおいて感圧センサ４０Ｂ及び制御部３０Ｂに代えて指紋センサ４０Ｃ、制御部３０Ｃを備えている。例えば、指紋センサ４０Ｃはシート状の指紋センサであり、図２５に示すように、操作部２０、すなわち静電パッドの下に配置される。指紋センサは、静電パッドを介して、接触操作を行うユーザの手指の指紋を検知し、検知した指紋を制御部３０Ｃへ出力する。
【００８２】
制御部３０Ｃは、制御部３０Ｂにおいて手指識別部３５Ｂに代えて手指識別部３５Ｃを備えている点で制御部３０Ｂと異なっている。手指識別部３５Ｃは、指紋センサ４０Ｃからの指紋によって、接触操作の手が右手及び左手のいずれであるかを識別すると共に、接触操作の２本の指が親指、人指し指、中指、薬指、小指のいずれであるかを識別する。例えば、ＲＯＭには、左右の手指の指紋と手指とが対応付けされたテーブルが予め記憶されている。手指識別部３５Ｃは、このテーブルに基づいて、指紋センサ４０Ｃからの指紋に対応する手指を接触操作の手指として識別する。このテーブルは、例えば、指紋センサ４１を用いて予め測定されて記憶されればよい。
【００８３】
また、本実施形態では、処理メニューの表示サイズ及び位置を固定としたが、例えば、ユーザの手指等のドラック操作によって、処理メニューの表示サイズを変更可能にしてもよいし、処理メニューを移動可能にしてもよい。
【００８４】
また、本実施形態では、範囲決定部３１，３１Ａは、２点の接触操作のタイミングに依存することなく、対象範囲を決定する範囲決定処理を行ったが、範囲決定部３１，３１Ａは、操作部２０から２点の位置信号を同時に受けた場合にのみ、すなわち、２点の接触操作が同時に行なわれた場合にのみ、対象範囲を決定するようにしてもよい。これによれば、例えば、１点接触による情報入力操作と２点同時接触による範囲指定操作とを区別することができるので、情報入力操作中であっても表示情報編集処理を行わせることができる。
【００８５】
また、本実施形態では、操作部２０として静電パッドを例示したが、操作部２０には、タッチパネルや光センサなどの接触操作を検知可能な装置が広く適用される。
【図面の簡単な説明】
【００８６】
【図１】本発明の第１の実施形態に係る情報処理装置の構成を示す斜視図である。
【図２】本発明の第１の実施形態に係る情報処理装置の構成を示すブロック図である。
【図３】図２の範囲決定部による範囲決定処理を示す図である。
【図４】図２の処理メニュー表示部による処理メニュー表示処理と、範囲決定部による範囲調整処理と、処理決定部による編集処理決定処理とを示す図である。
【図５】図２の処理実行部による編集処理実行処理を示す図である。
【図６】本発明の第１の実施形態に係る情報処理装置の表示情報編集方法を示すフローチャートである。
【図７】本発明の第２の実施形態に係る情報処理装置の構成を示すブロック図である。
【図８】図２の範囲決定部による範囲決定処理を示す図である。
【図９】図２の処理メニュー表示部による処理メニュー表示処理と、範囲決定部による範囲調整処理と、処理決定部による編集処理決定処理とを示す図である。
【図１０】図２の処理実行部による編集処理実行処理を示す図である。
【図１１】本発明の第２の実施形態に係る情報処理装置の表示情報編集方法を示すフローチャートである。
【図１２】本発明の変形例に係る情報処理装置の構成を示すブロック図である。
【図１３】本発明の変形例に係る情報処理装置の構成を一部分解して示す斜視図である。
【図１４】左右の手指の圧力強度及び接触面積と手指とが対応付けされたテーブルを示す図である。
【図１５】接触操作の位置関係を示す図である。
【図１６】接触操作の接触面積及び圧力強度の分布を示す図である。
【図１７】本発明の変形例における手指識別処理及び処理メニュー表示処理の一例を示す図である。
【図１８】本発明の変形例における手指識別処理及び処理メニュー表示処理の一例を示す図である。
【図１９】本発明の変形例における手指識別処理及び処理メニュー表示処理の一例を示す図である。
【図２０】本発明の変形例における手指識別処理及び処理メニュー表示処理の一例を示す図である。
【図２１】本発明の変形例における手指識別処理及び処理メニュー表示処理の一例を示す図である。
【図２２】本発明の変形例における手指識別処理及び処理メニュー表示処理の一例を示す図である。
【図２３】本発明の変形例における手指識別処理及び処理メニュー表示処理の一例を示す図である。
【図２４】本発明の変形例に係る情報処理装置の構成を示すブロック図である。
【図２５】本発明の変形例に係る情報処理装置の構成を一部分解して示す斜視図である。
【符号の説明】
【００８７】
１…情報処理装置、１０…表示部（表示手段）、１０ａ…表示領域、２０…操作部（操作手段）、２０ａ…接触領域、３０，３０Ａ…制御部、３１，３１Ａ…範囲決定部（範囲決定手段）、３２，３２Ａ…処理メニュー表示部（処理メニュー表示手段）、３３…処理決定部（処理決定手段）、３４…処理実行部（処理実行手段）、３５…手指識別部（識別手段）、４０…撮像部（識別手段）。
【図１】
0005203797.tif 000002
【図２】
0005203797.tif 000003
【図３】
0005203797.tif 000004
【図４】
0005203797.tif 000005
【図５】
0005203797.tif 000006
【図６】
0005203797.tif 000007
【図７】
0005203797.tif 000008
【図８】
0005203797.tif 000009
【図９】
0005203797.tif 000010
【図１０】
0005203797.tif 000011
【図１１】
0005203797.tif 000012
【図１２】
0005203797.tif 000013
【図１３】
0005203797.tif 000014
【図１４】
0005203797.tif 000015
【図１５】
0005203797.tif 000016
【図１６】
0005203797.tif 000017
【図１７】
0005203797.tif 000018
【図１８】
0005203797.tif 000019
【図１９】
0005203797.tif 000020
【図２０】
0005203797.tif 000021
【図２１】
0005203797.tif 000022
【図２２】
0005203797.tif 000023
【図２３】
0005203797.tif 000024
【図２４】
0005203797.tif 000025
【図２５】
0005203797.tif 000026